(57)【要約】【課題】逆流した排水が排水設備から噴き出すことを防止する逆流防止装置を公共桝に簡単に取り付けることができる。【解決手段】公共桝本体１の流入側接続口２の内端側にこの公共桝本体１と一体的に略筒状の逆流防止装置本体15を形成する。逆流防止装置本体15に取り付けた流入側接続管12から流入する排水によって公共桝本体１内に向って開口する弁体16とを備える。逆流防止装置本体15に被取り付け部46を形成し、被取り付け部46に弁体16を回動可能に取り付けた軸支部材49を後付け可能としたものである。【選択図】図１
2008261222.tif 000002
【特許請求の範囲】
【請求項１】
流入側接続口、流出側接続口、この流入側接続口と流出側接続口とを接続するインバート部及びこのインバート部の上方に開口する掃除口とを形成した公共桝本体に取り付ける公共桝用逆流防止装置であって、
前記公共桝本体の流入側接続口の内端側にこの公共桝本体と一体的に形成された略筒状の逆流防止装置本体と、
この逆流防止装置本体に取り付けられ流入側接続管から流入する排水によって前記公共桝本体内に向って開口される弁体と
を備え、
前記逆流防止装置本体に被取り付け部を形成し、
この被取り付け部に前記弁体を回動可能に取り付けた軸支部材を後付け可能とした
ことを特徴とする公共桝用逆流防止装置。
【請求項２】
略筒状の逆流防止装置本体は公共桝本体の流入側接続口にこの公共桝本体の内側から嵌挿固着した略筒状材にて形成したことを特徴とした請求項１記載の公共桝用逆流防止装置。
【請求項３】
流入側接続口、流出側接続口、この流入側接続口と流出側接続口とを接続するインバート部及びこのインバート部の上方に開口する掃除口とを形成した公共桝本体と、
前記公共桝本体の流入側接続口の内側開口端に臨ませてこの公共桝本体と一体的に形成された略筒状の逆流防止装置本体と、
この逆流防止装置本体に取り付けられ前記公共桝本体の流入側接続口に接続した流入側接続管から流入する排水によって前記公共桝本体内に向って開口される弁体と
を備え、
前記逆流防止装置本体に被取り付け部を形成し、
この被取り付け部に前記弁体を回動可能に取り付けた軸支部材を後付け可能とした
ことを特徴とする公共桝。
【発明の詳細な説明】
【技術分野】
【０００１】
本発明は、公共桝から逆流した排水が排水設備から噴き出すことを防止できる公共桝用逆流防止装置及びこの逆流防止装置を取り付けることのできる公共桝に関する。
【背景技術】
【０００２】
一般に、家庭内の各排水設備から排出される排水は、排水設備に接続した排水枝管を経て宅地内に設置された宅地桝に流入し、この宅地桝から直接または他の宅地桝を経て一つの公共桝に合流し、最終的にこの公共桝から下水道本管へと排出されるようになっている。
【０００３】
近年、この下水道本管に流入する排水量が増大し、特に台風などで大量の雨水が下水道本管内に流入すると下水道本管の排水能力を超え、溢れ出る排水またはこの排水によって圧送された空気が公共桝を経て排水枝管を逆流し、各排水設備から排水または空気が建物内に噴き出す問題が生じている。
【０００４】
そこで、従来、排水桝本体の流入側接続管を接続する流入側接続口の内側開口端近傍の内壁面部に、フック状の係合部を突設し、この係合部に流入側接続口の内端部をこの流入側接続口から排水桝内に流入する排水によって開放される弁体を回動可能に取り付ける構造が知られている（例えば、特許文献１参照。）。
【０００５】
この従来の逆流防止装置は、合成樹脂にて射出成形した排水桝内に弁体を開閉可能に支持するフック状の係合部を一体に突設することは成形上困難である問題がある。
【特許文献１】特開平１０−１９５９６９号公報（第２頁、第３頁、図４、図７）
【発明の開示】
【発明が解決しようとする課題】
【０００６】
解決しようとする問題点は、公共桝から逆流した排水が排水設備から噴き出すことを防止するための逆流防止装置は公共桝に簡単に取り付けることができなかった。
【０００７】
本発明はこのような点に鑑みなされたもので、公共桝から逆流した排水が排水設備から噴き出すことを防止するための逆流防止装置を公共桝に簡単に取り付けることができる公共桝用逆流防止装置及びこの逆流防止装置を取り付けることのできる公共桝を提供するものである。
【課題を解決するための手段】
【０００８】
本発明の公共桝用逆流防止装置は、流入側接続口、流出側接続口、この流入側接続口と流出側接続口とを接続するインバート部及びこのインバート部の上方に開口する掃除口とを形成した公共桝本体に取り付ける公共桝用逆流防止装置であって、前記公共桝本体の流入側接続口の内端側にこの公共桝本体と一体的に形成された略筒状の逆流防止装置本体と、この逆流防止装置本体に取り付けられ流入側接続管から流入する排水によって前記公共桝本体内に向って開口される弁体とを備え、前記逆流防止装置本体に被取り付け部を形成し、この被取り付け部に前記弁体を回動可能に取り付けた軸支部材を後付け可能としたものである。
【０００９】
そして、公共桝本体の掃除口から公共桝本体の流入側接続口の内端側に一体的に形成されている逆流防止装置本体の被取り付け部に、弁体を取り付けた軸支部材を取り付けることにより、前記弁体は逆流防止装置本体に流入側接続管から流入する排水によって前記公共桝本体内に向って開口される構成となり、逆流防止装置の弁体を公共桝本体の流入側接続口に取り付ける作業を容易にでき、また、逆流防止装置本体は公共桝本体の流入側接続口に一体的に形成されているので、逆流防止装置本体は公共桝本体の流入側接続口から外れることがなく、逆流防止装置本体は公共桝本体の流出側接続口から下水道本管側に流出することはない。
【００１０】
また、請求項２記載の発明の公共桝用逆流防止装置は、請求項１記載の公共桝用逆流防止装置において、略筒状の逆流防止装置本体は公共桝本体の流入側接続口にこの公共桝本体の内側から嵌挿固着した略筒状材にて形成したものである。
【００１１】
そして、略筒状の逆流防止装置本体を公共桝本体の流入側接続口にこの公共桝本体の内側から嵌合固着することにより、容易に公共桝本体の流入側接続口に逆流防止装置本体を一体的に形成でき、公共桝本体の成形型を安価にできる。
【００１２】
請求項３記載の発明の公共桝は、流入側接続口、流出側接続口、この流入側接続口と流出側接続口とを接続するインバート部及びこのインバート部の上方に開口する掃除口とを形成した公共桝本体と、前記公共桝本体の流入側接続口の内側開口端に臨ませてこの公共桝本体と一体的に形成された略筒状の逆流防止装置本体と、この逆流防止装置本体に取り付けられ前記公共桝本体の流入側接続口に接続した流入側接続管から流入する排水によって前記公共桝本体内に向って開口される弁体とを備え、前記逆流防止装置本体に被取り付け部を形成し、この被取り付け部に前記弁体を回動可能に取り付けた軸支部材を後付け可能としたものである。
【００１３】
そして、公共桝本体の掃除口から公共桝本体の流入側接続口の内側開口部に一体的に形成されている逆流防止装置本体の被取り付け部に、弁体を取り付けた軸支部材を取り付けることにより、逆流防止装置本体に流入側接続管から流入する排水によって前記公共桝本体内に向って開口される弁体を取り付けることから、公共桝本体の流入側接続口に逆流防止装置の弁体を取り付ける作業を容易にでき、また、逆流防止装置本体は公共桝本体の流入側接続口に一体的に形成されているので、逆流防止装置本体は公共桝本体の流入側接続口から外れることがなく、逆流防止装置本体は公共桝本体の流出側接続口から下水道本管側に流出することがない。
【発明の効果】
【００１４】
本発明の公共桝用逆流防止装置は、下水道本管から溢れた排水が流出側接続口から公共桝本体に逆流しても、逆流防止装置本体に設けられた弁体によって逆流する排水は流入側接続口に侵入することがないので、排水及びこの排水によって圧送された空気が家屋内の排水設備から噴き出すことがない。また、公共桝本体の掃除口から逆流防止装置本体の被取り付け部に、弁体を取り付けた軸支部材を取り付けることにより、逆流防止装置本体に弁体を容易に取り付けることができ、また、逆流防止装置本体は公共桝本体の流入側接続口から外れることがなく、逆流防止装置本体は公共桝本体の流出側接続口から下水道本管側に流出することはない。
【００１５】
請求項２記載の発明の公共桝用逆流防止装置は、略筒状の逆流防止装置本体を公共桝本体の内側から容易に公共桝本体と一体的に形成でき、公共桝本体の成形型を安価にできる。
【００１６】
請求項３記載の公共桝は、弁体を取り付けた軸支部材を取り付けることにより、逆流防止装置本体に弁体を容易に取り付けることができ、また、逆流防止装置本体は公共桝本体の流入側接続口に一体的に形成されているので、逆流防止装置本体は公共桝本体の流入側接続口から外れて、公共桝本体の流出側接続口から下水道本管側に流出することがない。
【発明を実施するための最良の形態】
【００１７】
本発明の公共桝用逆流防止装置及び公共桝の最良の一実施の形態を図１ないし図７に基づいて説明する。
【００１８】
公共桝本体１は、合成樹脂にて成形され、流入側接続口２、流出側接続口３、この流入側接続口２と流出側接続口３とを接続するインバート部４及びこのインバート部４の上方に開口する掃除口５とを備えている。この掃除口５は受口に形成し、この受口の掃除口５には立ち上がり管６の下端部が嵌合され、この立ち上がり管６の上端部には枠体７が嵌着されている。
【００１９】
この枠体７は、前記立ち上がり管６の内径と略同一の外径を有する略円筒形の嵌挿部８を有し、さらに、前記枠体７の上端開口部の内周部には環状の支持部10が形成され、この支持部10に略円板状の掃除口蓋体11が開閉自在に支持されている。
【００２０】
また、前記公共桝本体１の流入側接続口２は、排水設備に連通した上流側の流入側接続管12の外径と略同一の内径に形成されている。
【００２１】
この公共桝本体１と一体的に形成される逆流防止装置本体15は、前記公共桝本体１の流入側接続口２に接続される流入側接続管12の内径に略等しい内径を有する略筒状に形成され、この略筒状の逆流防止装置本体15は流入側接続口２に嵌挿接続される一端側の外径は流入側接続口２の内径と略同一で、この逆流防止装置本体15の中間部の上部には、公共桝本体１の流入側接続口２の内端開口湾曲縁52に係合するストッパー突部45が突設されている。
【００２２】
さらに、この逆流防止装置本体15の上部にはストッパー突部45より他端側に位置して上方に向って突出する軸状に形成した被取り付け部46が設けられている。この被取り付け部46の上部にはナット47を螺合するねじ部48が形成されている。
【００２３】
また、前記逆流防止装置本体15の他端側開口端面は上端部から下側に向って拡がり方向に傾斜した端面に形成されている。
【００２４】
さらに、前記逆流防止装置本体15の他端側端面を前記流入側接続管12から流入する排水によって前記公共桝本体１内に向って開閉自在に開口する弁体16の上部には軸支部材49に軸50にて回動可能に取り付けられている。この軸支部材49には前記逆流防止装置本体15の被取り付け部46の上方から下方に向って嵌合される嵌合筒部51が形成されている。
【００２５】
また、前記逆流防止装置本体15は、一端側から公共桝本体１の流入側接続口２に内端側にストッパー突部45が公共桝本体１の流入側接続口２の内端開口湾曲縁52に係合するまで嵌合して接着剤で固着されて公共桝本体の流入側接続口２の内端側に一体的に形成されている。
【００２６】
次に、この実施の形態の作用を説明する。
【００２７】
図２に示すように、合成樹脂にて成形された公共桝本体１の流入側接続口２の内端から、逆流防止装置本体15を一端側から嵌合して図３に示すように、ストッパー突部45が公共桝本体１の流入側接続口２の内端開口湾曲縁52に係合した状態に接着剤で固着する。この状態で公共桝本体１は出荷されるようになっている。
【００２８】
そして、地表面に設置された掃除口蓋体11を枠体７から取り外し、既設の公共桝本体１の掃除口５に接続した立ち上がり管６から軸支部材49に軸50にて回動可能に取り付けられている弁体16を公共桝本体１内に収納する。
【００２９】
次いで、図４および図５に示すように、軸支部材49の嵌合筒部51を逆流防止装置本体15の被取り付け部46に上方から嵌合し、図６及び図７に示すようにこの被取り付け部46の上部のねじ部48にナット47を螺合して軸支部材49を固定することにより、逆流防止装置本体15に流入側接続管12から流入する排水によって前記公共桝本体１内に向って開口される弁体16が後付けされる。この軸支部材49の嵌合筒部51を逆流防止装置本体15の被取り付け部46に上方から嵌合してナット47で固定するので操作性が良好である。
【００３０】
このように、既設の公共桝本体１の掃除口５から公共桝本体１の流入側接続口２の内端側に一体的に形成されている逆流防止装置本体15の被取り付け部46に、弁体16を取り付けた軸支部材49を取り付けることにより、逆流防止装置本体15に流入側接続管12から流入する排水によって前記公共桝本体１内に向って開口される弁体16を取り付けることができるので、被取り付け部46に弁体16を回動可能に取り付けた軸支部材49を後付け可能となり、逆流防止装置の弁体16を公共桝本体１の流入側接続口２に取り付ける作業が容易にできる。
【００３１】
また、逆流防止装置本体15は公共桝本体１の流入側接続口２に一体的に形成されているので、逆流防止装置本体15は公共桝本体１の流入側接続口２から外れることがなく、逆流防止装置本体15は公共桝本体１の流出側接続口３から下水道本管側に流出することはない。そして、略筒状の逆流防止装置本体15を公共桝本体１の流入側接続口２にこの公共桝本体１の内側から嵌合固着することにより、容易に公共桝本体１の流入側接続口２に逆流防止装置本体15を一体的に形成でき、公共桝本体１の成形型を安価にできる。
【００３２】
そして、公共桝本体１の流入側接続口２に取り付けられた逆流防止装置本体15は、下水道本管から溢れた排水が公共桝本体１に逆流しても、逆流防止装置本体15に設けられた弁体16によって逆流する排水は流入側接続口２に侵入することがないので、家屋内の排水設備から排水及びこの排水によって圧送された空気が噴き出すことがない。
【００３３】
また、各排水設備から排出される排水は、流入側接続口２に取り付けられている逆流防止装置本体15に設けた弁体16が公共桝本体１内に向って開口されるため、公共桝本体１内に流入して流出側接続口３から下水道本管に排出される。
【００３４】
また、公共桝本体１に形成されている逆流防止装置本体15に軸支部材49を介して弁体16を取り付けた状態で出荷することもできる。
【００３５】
なお、この実施の形態では、略筒状の逆流防止装置本体15は公共桝本体１の流入側接続口２にこの公共桝本体１の内側から嵌合固着して形成したが、合成樹脂にて逆流防止装置本体15を公共桝本体１と一体に成形することもできる。
【００３６】
また、前記実施の形態では、公共桝本体１には１つの流入側接続口２と１つの流出側接続口３を対向させて形成した構成としたが、この構成に限られるものではなく、複数の流入側接続口２と１つの流出側接続口３を形成した公共桝本体１では、各流入側接続口２にそれぞれ逆流防止装置本体15を取り付けるものである。
【図面の簡単な説明】
【００３７】
【図１】本発明の一実施の形態を示す逆流防止装置を取り付ける公共桝の縦断側面図である。
【図２】同上逆流防止装置本体を公共桝本体に取り付ける状態を示す縦断側面図である。
【図３】同上逆流防止装置本体を公共桝本体に取り付けた状態を示す縦断側面図である。
【図４】同上逆流防止装置本体に弁体を取り付ける状態を示す縦断側面図である。
【図５】同上逆流防止装置本体に弁体を取り付ける過程を示す縦断側面図である。
【図６】同上逆流防止装置本体に弁体を取り付けた状態を示す縦断側面図である。
【図７】同上逆流防止装置本体に弁体を取り付けた状態を示す平面図である。
【符号の説明】
【００３８】
１    公共桝本体
２    流入側接続口
３    流出側接続口
４    インバート部
５    掃除口
12    流入側接続管
15    逆流防止装置本体
16    弁体
46    被取り付け部
49    軸支部材
【図１】
2008261222.tif 000003
【図２】
2008261222.tif 000004
【図３】
2008261222.tif 000005
【図４】
2008261222.tif 000006
【図５】
2008261222.tif 000007
【図６】
2008261222.tif 000008
【図７】
2008261222.tif 000009